(57)【要約】【課題】強度に優れた単柱型の太陽光パネル用架台を提供する。【解決手段】太陽光パネル用架台は、上部構造体１と、上部構造体１を支持する下部構造体２と、を備える。上部構造体１は、太陽光パネル３を支持するフレーム構造体４を有し、下部構造体２は、支柱７と、支柱７から横方向に延在する第一支持部材８と、支柱７から第一支持部材８の先端部に向かって斜め上方に延在する第二支持部材９と、を有する。上部構造体１と第一支持部材８とは、第一固定部材３０を介して固定され、第一支持部材８の基部および第二支持部材９の基部は、支柱７とそれぞれ第二固定部材３２を介して固定され、第一支持部材８の先端部と第二支持部材９の先端部とが、固定されている。【選択図】図１
2017175791.tif 000002
【特許請求の範囲】
【請求項１】
上部構造体と、前記上部構造体を支持する下部構造体と、を備え、
前記上部構造体は、太陽光パネルを支持するフレーム構造体を有し、
前記下部構造体は、支柱と、前記支柱から横方向に延在する第一支持部材と、前記支柱から前記第一支持部材の先端部に向かって斜め上方に延在する第二支持部材と、を有し、
前記上部構造体と前記第一支持部材とは、第一固定部材を介して固定され、
前記第一支持部材の基部および前記第二支持部材の基部は、前記支柱とそれぞれ第二固定部材を介して固定され、
前記第一支持部材の先端部と前記第二支持部材の先端部とが、固定されている
ことを特徴とする太陽光パネル用架台。
【請求項２】
前記第一支持部材と前記第二支持部材との対が前記支柱に複数対配置され、前記支柱の周方向に隣り合う対の間の角度が等角度であることを特徴とする請求項１に記載の太陽光パネル用架台。
【請求項３】
前記第二固定部材は、一対の半円バンドと、前記半円バンドの半円状部分から外方へ張り出すブラケット部と、を有し、
前記ブラケット部に、前記第一支持部材の基部および前記第二支持部材の基部のいずれかが固定される
ことを特徴とする請求項１または２に記載の太陽光パネル用架台。
【請求項４】
前記フレーム構造体は、
前記太陽光パネルを支持する第一フレーム部材と、
前記第一フレーム部材を支持し、かつ直交方向に延在する第二フレーム部材と、を有し、
前記第二フレーム部材と前記第一支持部材とが、前記第一固定部材を介して固定される
ことを特徴とする請求項１から３のいずれか一項に記載の太陽光パネル用架台。
【請求項５】
前記第二フレーム部材の上部に固定されるブラケット部材と、前記ブラケット部材の上方に配置される挟持部材と、を備え、
前記ブラケット部材は、前記第一フレーム部材の下面に当接する載置面を有し、
前記第一フレーム部材は、前記ブラケット部材と前記挟持部材とで挟持されることにより、前記第二フレーム部材に固定される
ことを特徴とする請求項４に記載の太陽光パネル用架台。
【請求項６】
前記ブラケット部材の載置面は、水平面に対して傾斜しており、前記載置面の傾斜角度は、前記第一フレーム部材の傾斜角度と同等の角度であることを特徴とする請求項５に記載の太陽光パネル用架台。
【請求項７】
前記第二フレーム部材の両側面の上部には、外側に延出する係止片が設けられ、
前記ブラケット部材の両側部には、前記係止片に係合する係合部が設けられ、
前記係合部の下部には、下方へ垂下する固定部が設けられ、
前記固定部が第二フレーム部材の側面にビスにより固定される
ことを特徴とする請求項５または６に記載の太陽光パネル用架台。
【請求項８】
前記第一固定部材は、前記第一支持部材に固定される第一固定部と、前記第一固定部から上方に延在し、前記第二フレーム部材に固定される第二固定部と、を有してＬ字形状に形成されており、
前記第二固定部に、凹部または凸部が形成されており、
前記第二フレーム部材には、前記第二固定部の凹部または凸部と係合する凸部または凹部が形成されている
ことを特徴とする請求項４から７のいずれか一項に記載の太陽光パネル用架台。
【請求項９】
前記フレーム構造体を構成するフレーム部材、前記第一支持部材、前記第二支持部材、前記第一固定部材および前記第二固定部材は、アルミニウム合金製の押出形材からなることを特徴とする請求項１から８のいずれか一項に記載の太陽光パネル用架台。
【請求項１０】
請求項４から請求項８のいずれか一項に記載の太陽光パネル用架台が複数配置され、
隣り合う２つ以上の太陽光パネル架台の、前記第二フレーム部材同士が連結プレートを介して連結されていることを特徴とする太陽光パネル用架台ユニット。
【発明の詳細な説明】
【技術分野】
【０００１】
本発明は、太陽光パネル用架台および太陽光パネル用架台ユニットに関する。
【背景技術】
【０００２】
従来から、太陽光パネルを設置するための太陽光パネル用の架台が公知である（例えば、特許文献１参照）。特許文献１に記載の太陽光パネル用架台においては、複数の太陽光パネルを一本の支柱上に支持部材（腕木）を介して樹木型に配置する構成となっている。
【先行技術文献】
【特許文献】
【０００３】
【特許文献１】特開平８−８８３８９号公報
【発明の概要】
【発明が解決しようとする課題】
【０００４】
前記特許文献１に記載の太陽光パネル用架台では、一本の支持部材で支持できる重量がそれほど大きくないため、載置可能な太陽光パネルの数や大きさが制限されるという問題があった。
【０００５】
そこで、本発明は、強度に優れた単柱型の太陽光パネル用架台を提供することを目的とする。
【課題を解決するための手段】
【０００６】
本発明に係る太陽光パネル用架台は、上部構造体と、前記上部構造体を支持する下部構造体と、を備える。前記上部構造体は、太陽光パネルを支持するフレーム構造体を有し、前記下部構造体は、支柱と、前記支柱から横方向に延在する第一支持部材と、前記支柱から前記第一支持部材の先端部に向かって斜め上方に延在する第二支持部材と、を有する。前記上部構造体と前記第一支持部材とは、第一固定部材を介して固定され、前記第一支持部材の基部および前記第二支持部材の基部は、前記支柱とそれぞれ第二固定部材を介して固定され、前記第一支持部材の先端部と前記第二支持部材の先端部とが、固定されている。
【発明の効果】
【０００７】
本発明に係る太陽光パネル用架台においては、支柱と第一支持部材と第二支持部材とによって側面視で三角形のトラス構造を形成することにより、強度に優れた単柱型の太陽光パネル用架台を提供することが可能になる。
【図面の簡単な説明】
【０００８】
【図１】本発明の実施形態に係る太陽光パネル用架台を示す斜視図である。
【図２】本発明の実施形態に係る太陽光パネル用架台を示す平面図である。
【図３】本発明の実施形態に係る太陽光パネル用架台を示す側面図である。
【図４】本発明の実施形態に係る太陽光パネル用架台を示す背面図である。
【図５】第一フレーム部材と第二フレーム部材との固定状態を示す分解斜視図である。
【図６】第二フレーム部材と第一支持部材との固定状態を示す分解斜視図である。
【図７】第一支持部材と支柱との固定状態、第二支持部材と支柱との固定状態、および、第一支持部材と第二支持部材との固定状態を示す分解斜視図である。
【図８】太陽光パネル用架台ユニットを示す斜視図である。
【図９】太陽光パネル用架台ユニットを示す平面図である。
【図１０】太陽光パネル用架台ユニットを示す背面図である。
【発明を実施するための形態】
【０００９】
以下、本発明の実施形態を図面とともに詳述する。なお、図面において、矢印Ｗは太陽光パネル用架台の幅方向（横方向）を示し、矢印Ｄは太陽光パネル用架台の奥行き方向（縦方向）を示し、矢印Ｈは太陽光パネル用架台の高さ方向を示す。
【００１０】
図１から図４に示すように、本発明の実施形態に係る太陽光パネル用架台は、上部構造体１と、上部構造体１を支持する下部構造体２と、を備える。
【００１１】
上部構造体１は、太陽光パネル３を支持するフレーム構造体４を有する。このフレーム構造体４は、太陽光パネル３を支持する第一フレーム部材（垂木）５と、第一フレーム部材５を支持し、かつ、第一フレーム部材５と交差する方向に延在する第二フレーム部材（垂木受け）６と、から主に構成される。本実施形態では、第一フレーム部材５と第二フレーム部材６とは、直交して配置されている。また、第一フレーム部材５は、太陽光パネル用架台の奥行き方向Ｄの一方側（前面側）と他方側（後面側）とで高さが異なるように設定されている。具体的には、第一フレーム部材５は、太陽光パネル用架台の後面側が前面側よりも高くなるように設置されている（図３参照）。
【００１２】
第一フレーム部材５は、アルミニウム合金製の押出形材からなる。また、第一フレーム部材５は、断面略台形の筒状の中空材から構成されており、上面、下面および両側面を有する。
【００１３】
図５に示すように、第一フレーム部材５の両側面の下端には、幅方向外側へ延出する係止プレート片１０がそれぞれ第一フレーム部材５の長手方向に沿って形成されている。各係止プレート片１０は、第一フレーム部材５の側面の下端に全長に亘って形成されている。そして、係止プレート片１０の先端部に、上方に突出する凸部（立上部）１１が第一フレーム部材５の長手方向に沿って形成されている。この凸部１１は、係止プレート片１０の先端部に第一フレーム部材５の全長に亘って形成されている。
【００１４】
第二フレーム部材６は、アルミニウム合金製の押出形材からなる。また、第二フレーム部材６は、断面略矩形の筒状の中空材から構成されており、上面、下面および両側面を有する。
【００１５】
図５および図６に示すように、第二フレーム部材６の両側面のうち、一方の側面の上部には、第二フレーム部材６にブラケット部材１６を固定するためにビス１２が螺合される。一方、第二フレーム部材６の両側面の下部には、第二フレーム部材６と第一固定部材３０とを固定するために用いられるボルト４５の頭部を収容する収容部１３が第二フレーム部材６の長手方向に沿ってそれぞれ形成されている。この収容部１３は、第二フレーム部材６の側面の下部に全長に亘って形成されている。ボルト４５は六角ボルトであり、収容部１３の幅は、ボルト４５の二面幅よりも広く、ボルト４５の対角距離よりも狭くなっている。このように構成することにより、収容部１３は、ボルト４５の回転を規制する回転止めとして機能する。さらに、収容部１３の開口端には、収容部１３の両側部から互いに対向するようにそれぞれ突出する突出部１４が一対に形成されている。これらの一対の突出部１４，１４同士の間隔は、ボルト４５の軸部の外径よりも広く、ボルト４５の頭部の外径よりも狭くなっている。このように構成することにより、一対の突出部１４，１４は、収容部１３からのボルト４５の脱落を防止する脱落止めとして機能する。さらに、第二フレーム部材６の両側面の下部には、凹部１５が第二フレーム部材６の長手方向に沿ってそれぞれ形成されている。この凹部１５は、第二フレーム部材６の側面の下部に全長に亘って形成されている。
【００１６】
図５に示すように、本実施形態に係る太陽光パネル用架台は、第二フレーム部材６の上部に固定されるブラケット部材１６と、ブラケット部材１６の上方に配置される挟持部材１７と、をさらに備える。
【００１７】
ブラケット部材１６は、アルミニウム合金製の押出形材からなる。このブラケット部材１６は、ブラケット部材１６の最上部を構成する基板部１８と、基板部１８の両側部から下方に延在する係合部１９と、係合部１９の下部に設けられる固定部２０と、を有しており、下方が開口した略逆Ｕ字形状に形成されている。
【００１８】
ブラケット部材１６の基板部１８は、平面視で矩形状に形成されている。基板部１８の上面に、第一フレーム部材５の下面に当接する載置面２１が形成されており、この載置面２１は、水平面に対して傾斜している。この載置面２１の傾斜角度は、第一フレーム部材５の傾斜角度と同等の角度である。
【００１９】
基板部１８には、ブラケット部材１６の長手方向に間隔を隔てて二つのボルト挿通孔２２が形成されている。ボルト挿通孔２２には、ブラケット部材１６と第一フレーム部材５とを固定するためのボルト２８の軸部が挿通される。また、基板部１８には、下方に向かって突出し、かつ、ボルト２８の頭部を挟んで対向する一対の回転防止用突条２３，２３が形成されている。
【００２０】
ブラケット部材１６の係合部１９は、基板部１８の幅方向両側部にそれぞれ設けられている。係合部１９は、第二フレーム部材６の両側面の上端部に設けられた係止片２４を囲うことができる形状に形成されている。ブラケット部材１６の係合部１９を第二フレーム部材６の係止片２４に係合させることにより、ブラケット部材１６は、第二フレーム部材６に対して、第二フレーム部材６の長手方向を除く上下左右方向への移動が規制される。
【００２１】
ブラケット部材１６の固定部２０は、係合部１９の下端部から下方に延在している。固定部２０の内側面が第二フレーム部材６の側面に当接する。固定部２０には、ビス用孔２５が形成されており、このビス用孔２５から第二フレーム部材６の側面にビス１２を螺合させることにより、第二フレーム部材６の上部にブラケット部材１６が固定される。
【００２２】
挟持部材１７は、アルミニウム合金製の押出形材からなる。挟持部材１７は、第一フレーム部材５の幅方向両側のそれぞれに配置され、各挟持部材１７の側縁部が、各係止プレート片１０の先端部を押さえる。
【００２３】
挟持部材１７の下面には、係止プレート片１０の先端部に設けられた凸部１１が入り込む凹溝２６が形成されている。また、挟持部材１７には、ボルト挿通孔２７が形成されている。ボルト挿通孔２７には、ブラケット部材１６と第一フレーム部材５とを固定するためのボルト２８の軸部が挿通される。
【００２４】
第一フレーム部材５と第二フレーム部材６との固定は、ブラケット部材１６と、挟持部材１７と、ボルト２８およびナット２９とを介して行う。具体的には、まず、ブラケット部材１６のボルト挿通孔２２にボルト２８の軸部を下方から挿入し、このボルト２８の軸部をブラケット部材１６の上面から突出させる。さらに、ボルト２８の軸部を挟持部材１７のボルト挿通孔２７に挿通して、このボルト２８の先端を挟持部材１７の上面から突出させる。また、ブラケット部材１６の載置面２１に載置された第一フレーム部材５の係止プレート片１０の先端部に位置する凸部１１が、挟持部材１７の凹溝２６と係合するように第一フレーム部材５を配置する。そして、挟持部材１７の上面から突出したボルト２８の軸部にナット２９を締め付けると、第一フレーム部材５と第二フレーム部材６とが固定される。
【００２５】
一方、下部構造体２は、図１から図４に示すように、一本の支柱７と、支柱７から横方向に延在する第一支持部材８と、支柱７から第一支持部材８の先端部に向かって斜め上方に延在する第二支持部材９と、から主に構成される。本実施形態では、第一支持部材８は、水平方向に延在するように配置される。
【００２６】
上部構造体１の第二フレーム部材６と下部構造体２の第一支持部材８とは、第一固定部材３０を介して第一締結部材３１により固定されている。また、第一支持部材８の基部および第二支持部材９の基部はそれぞれ、第二固定部材３２を介して第二締結部材３３により支柱７と固定されている。そして、第一支持部材８の先端部と第二支持部材９の先端部とが、第三締結部材３４により固定されている。このように、支柱７、第一支持部材８および第二支持部材９を、相互に固定することにより、側面視で三角形のトラス構造が形成される（図３、図４参照）。
【００２７】
また、第一支持部材８と第二支持部材９との対が支柱７に複数対配置され、支柱７の周方向に隣り合う対の間の角度が等角度であるように設定される。第一支持部材８と第二支持部材９との対のうち、第一支持部材８が第二支持部材９よりも上方に配置され、第二支持部材９は第一支持部材８よりも下方に配置される。本実施形態では、第一支持部材８と第二支持部材９との対が支柱７に４対配置され、支柱７の周方向に隣り合う対の間の角度が９０度であるように設定される。このように複数対の第一支持部材８および第二支持部材９を配置（固定）することにより、平面視で三角形のトラス構造が形成される（図２参照）。
【００２８】
第一支持部材８は、アルミニウム合金製の押出形材からなる。また、第一支持部材８は、断面略矩形の筒状の中空材から構成されており、上面、下面および両側面を有する。第一支持部材８の幅は、第二支持部材９の幅よりも小さく設定されている。
【００２９】
図６および図７に示すように、第一支持部材８の上面には、ボルト４２の収容部３５が第一支持部材８の長手方向に沿って形成されており、収容部３５に、第一固定部材３０を第一支持部材８に固定するために用いられるボルト４２の頭部が収容される。この収容部３５は、第一支持部材８の上面に全長に亘って形成されている。ボルト４２は六角ボルトであり、収容部３５の幅は、ボルト４２の二面幅よりも広く、ボルト４２の対角距離よりも狭くなっている。このように構成することにより、収容部３５は、ボルト４２の回転を規制する回転止めとして機能する。さらに、収容部３５の開口端には、収容部３５の両側部から第一支持部材８の幅方向内側にそれぞれ突出する突出部３６が一対に形成されている。これらの一対の突出部３６，３６同士の間隔は、ボルト４２の軸部の外径よりも広く、ボルト４２の頭部の外径よりも狭くなっている。このように構成することにより、一対の突出部３６，３６は、収容部３５からのボルト４２の脱落を防止する脱落止めとして機能する。
【００３０】
第一支持部材８の基部には、第一支持部材８の高さ方向に間隔を隔てて二つのボルト挿通孔３７が形成されている。このボルト挿通孔３７には、第一支持部材８と第二固定部材３２（半円バンド５１）とを固定するためのボルト５６の軸部が挿通される。また、第一支持部材８の先端部には、第一支持部材８の長手方向に間隔を隔てて二つのボルト挿通孔３８が形成されている。このボルト挿通孔３８には、第一支持部材８と第二支持部材９とを固定するためのボルト５９の軸部が挿通される。
【００３１】
第二支持部材９は、アルミニウム合金製の押出形材からなる。また、第二支持部材９は、断面略矩形の筒状の中空材から構成されており、上面、下面および両側面を有する。
【００３２】
第二支持部材９の先端部の上面には、上方に開口する収容部３９が生成されており、この収容部３９に第一支持部材８の先端部が収容されるようになっている。
【００３３】
第二支持部材９の基部には、第二支持部材９の高さ方向に間隔を隔てて二つのボルト挿通孔４０が形成されている。このボルト挿通孔４０には、第二支持部材９と第二固定部材３２（半円バンド５１）とを固定するためのボルト５６の軸部が挿通される。また、第二支持部材９の先端部には、第二支持部材９の長手方向に間隔を隔てて二つのボルト挿通孔４１が形成されている。このボルト挿通孔４１には、第一支持部材８と第二支持部材９とを固定するためのボルト５９の軸部が挿通される。
【００３４】
第一固定部材３０は、アルミニウム合金製の押出形材からなる。また、第一固定部材３０は、側面視でＬ字形状に形成されており、第二フレーム部材６を両側から挟むように一対に配置されている。
【００３５】
各第一固定部材３０は、ボルト４２およびナット４３（第一締結部材３１）を介して第一支持部材８に固定される平板状の第一固定部４４と、この第一固定部４４から上方に延在し、ボルト４５およびナット４６（第一締結部材３１）を介して第二フレーム部材６に固定される第二固定部４７と、を有する。第一固定部材３０の第一固定部４４は、第一支持部材８との固定に用いるボルト４２を挿通するボルト挿通孔４８を有している。また、第一固定部材３０の第二固定部４７は、第二フレーム部材６との固定に用いるボルト４５を挿通するボルト挿通孔４９を有している。さらに、第一固定部材３０の第二固定部４７には、第二フレーム部材６の凹部１５と係合する凸部５０が形成されている。この凸部５０は、第一固定部材３０の全長に亘って形成されている。
【００３６】
上部構造体１の第二フレーム部材６と第一固定部材３０との固定は、ボルト４５およびナット４６（第一締結部材３１）を介して行う。具体的には、まず、第二フレーム部材６の側面の下部に形成された収容部１３にボルト４５の頭部を収容し、このボルト４５の軸部を収容部１３から突出させる。さらに、ボルト４５の軸部を、第一固定部材３０の第二固定部４７のボルト挿通孔４９に挿通して、このボルト４５の軸部の先端をボルト挿通孔４９から突出させる。そして、ボルト挿通孔４９から突出したボルト４５の軸部にナット４６を締め付けると、第二フレーム部材６と第一固定部材３０とがボルト４５およびナット４６によって挟持される。これにより、上部構造体１の第二フレーム部材６と第一固定部材３０とが固定される。
【００３７】
下部構造体２の第一支持部材８と第一固定部材３０との固定は、ボルト４２およびナット４３（第一締結部材３１）を介して行う。具体的には、まず、第一支持部材８の上面に形成された収容部３５にボルト４２の頭部を収容し、このボルト４２の軸部を収容部３５から突出させる。さらに、ボルト４２の軸部を、第一固定部材３０の第一固定部４４のボルト挿通孔４８に挿通して、このボルト４２の軸部の先端をボルト挿通孔４８から突出させる。そして、ボルト挿通孔４８から突出したボルト４２の軸部にナット４３を締め付けると、第一支持部材８と第一固定部材３０とがボルト４２およびナット４３によって挟持される。これにより、下部構造体２の第一支持部材８と第一固定部材３０とが固定される。
【００３８】
第二固定部材３２は、アルミニウム合金製の押出形材からなる。また、第二固定部材３２は、図７に示すように、一対の半円バンド５１からなり、各半円バンド５１がアルミニウム合金製の押出形材からなる。各半円バンド５１は、支柱７の外周に密着する半円状部分（密着部）５２と、半円状部分５２の両端部にそれぞれ形成されるフランジ部５３と、から主に構成される。半円バンド５１のフランジ部５３は、支柱７の周方向に隣り合う他の半円バンド５１のフランジ部５３とボルトおよびナットを介して固定される。これにより、一対の半円バンド５１（第二固定部材３２）が支柱７に対して固定されるようになっている。
【００３９】
本実施形態では、一対の半円バンド５１の内、一方の半円バンド５１の半円状部分５２に、半円状部分５２から外方へ張り出すブラケット部５４が設けられている。このブラケット部５４は、平面視で略Ｕ字形状とされており、第一支持部材８の基端部または第二支持部材９の基端部が収まるようになっている。また、ブラケット部５４には、半円バンド５１の高さ方向に間隔を隔てて二つのボルト挿通孔５５が形成されている。このボルト挿通孔５５には、第一支持部材８または第二支持部材９と、半円バンド５１とを固定するためのボルト５６の軸部が挿通される。
【００４０】
第一支持部材８の基部と支柱７との固定は、半円バンド５１を介してボルト５６およびナット５７（第二締結部材３３）により行う。カラー部材５８が、第一支持部材８のボルト挿通孔３７を貫通して半円バンド５１のブラケット部５４に挟持される。このカラー部材５８の外径は、第一支持部材８のボルト挿通孔３７の内径よりも小さく、かつ、ブラケット部５４のボルト挿通孔５５の内径よりも大きい。そして、ブラケット部５４の外側面から突出したボルト５６の軸部にナット５７を締め付けると、第一支持部材８の基部と半円バンド５１とが固定される。
【００４１】
第二支持部材９の基部と支柱７との固定は、第一支持部材８の基部および支柱７の固定と同様に、半円バンド５１を介してボルト５６およびナット５７（第二締結部材３３）により行う。カラー部材５８が、第二支持部材９のボルト挿通孔４０を貫通して半円バンド５１のブラケット部５４に挟持される。このカラー部材５８の外径は、第二支持部材９のボルト挿通孔４０の内径よりも小さく、かつ、ブラケット部５４のボルト挿通孔５５の内径よりも大きい。そして、ブラケット部５４の外側面から突出したボルト５６の軸部にナット５７を締め付けると、第二支持部材９の基部と半円バンド５１とが固定される。
【００４２】
第一支持部材８の先端部と第二支持部材９の先端部との固定は、ボルト５９およびナット６０（第三締結部材３４）により行う。カラー部材６１が、第一支持部材８のボルト挿通孔３８を貫通して第二支持部材９の収容部３９に収まるようになっている。このカラー部材６１の外径は、第一支持部材８のボルト挿通孔３８の内径よりも小さく、かつ、第二支持部材９のボルト挿通孔４１の内径よりも大きい。そして、第二支持部材９の外側面から突出したボルト５９の軸部にナット６０を締め付けると、第一支持部材８の先端部と第二支持部材９の先端部とが固定される。
【００４３】
以下に、本実施形態による作用効果を説明する。
【００４４】
（１）本実施形態に係る太陽光パネル用架台は、上部構造体１と、上部構造体１を支持する下部構造体２と、を備える。上部構造体１は、太陽光パネル３を支持するフレーム構造体４を有し、下部構造体２は、支柱７と、支柱７から横方向に延在する第一支持部材８と、支柱７から第一支持部材８の先端部に向かって斜め上方に延在する第二支持部材９と、を有する。上部構造体１と第一支持部材８とは、第一固定部材３０を介して固定され、第一支持部材８の基部および第二支持部材９の基部は、支柱７とそれぞれ第二固定部材３２を介して固定され、第一支持部材８の先端部と第二支持部材９の先端部とが、固定されている。
【００４５】
本実施形態に係る太陽光パネル用架台においては、支柱７と第一支持部材８と第二支持部材９とにより、側面視で三角形のトラス構造が形成されるので、強度に優れた単柱型の太陽光パネル用架台を提供することが可能になる。
【００４６】
（２）第一支持部材８と第二支持部材９との対が支柱７に複数対配置され、支柱７の周方向に隣り合う対の間の角度が等角度である。
【００４７】
複数のトラス構造（側面視）が支柱７の周囲に等間隔で配置されるので、上部構造体１からの荷重が分散され、支柱７の特定の箇所に荷重が集中しなくなり、支柱７の寿命を延ばすことができるようになる。
【００４８】
（３）第二固定部材３２は、一対の半円バンド５１と、半円バンド５１の半円状部分５２から外方へ張り出すブラケット部５４と、を有し、ブラケット部５４に、第一支持部材８の基部および第二支持部材９の基部のいずれかが固定される。
【００４９】
第一支持部材８および第二支持部材９と支柱７との固定を、比較的簡単な構造で行うことができるとともに、第一支持部材８および第二支持部材９の延在方向（支柱７の半径方向）をあらかじめ方向づけることができる。
【００５０】
（４）フレーム構造体４は、太陽光パネル３を支持する第一フレーム部材５と、第一フレーム部材５を支持し、かつ直交方向に延在する第二フレーム部材６と、を有し、第二フレーム部材６と第一支持部材８とが、第一固定部材３０を介して固定される。
【００５１】
本実施形態に係る太陽光パネル用架台においては、支柱７の周方向に隣り合う二本の第一支持部材８と第二フレーム部材６とによって平面視で三角形のトラス構造を形成することにより、強度により優れた単柱型の太陽光パネル用架台を提供することが可能になる。
【００５２】
（５）太陽光パネル用架台は、第二フレーム部材６の上部に固定されるブラケット部材１６と、ブラケット部材１６の上方に配置される挟持部材１７と、をさらに備える。ブラケット部材１６は、第一フレーム部材５の下面に当接する載置面２１を有し、第一フレーム部材５は、ブラケット部材１６と挟持部材１７とで挟持されることにより、第二フレーム部材６に固定される。
【００５３】
第一フレーム部材５を、ブラケット部材１６と挟持部材１７とで挟持しているので、第一フレーム部材５と第二フレーム部材６との固定強度を高めることができる。
【００５４】
（６）ブラケット部材１６の載置面２１は、水平面に対して傾斜しており、載置面２１の傾斜角度は、第一フレーム部材５の傾斜角度と同等の角度である。
【００５５】
このようにすることにより、使用するブラケット部材１６によって、水平面に対する第一フレーム部材５の傾斜角度が決まる。すなわち、第一フレーム部材５は、ブラケット部材１６の載置面２１に載置するだけで所定の傾斜角度に傾斜するので、第一フレーム部材５の傾斜角度の調整が容易になる。
【００５６】
（７）第二フレーム部材６の両側面の上部には、外側に延出する係止片２４が設けられ、ブラケット部材１６の両側部には、係止片２４に係合する係合部１９が設けられている。係合部１９の下部には、下方へ垂下する固定部２０が設けられ、固定部２０が第二フレーム部材６の側面にビス１２により固定される。
【００５７】
ブラケット部材１６と第二フレーム部材６との位置決めを容易かつ正確に行うことができることにより、作業性が向上する。
【００５８】
（８）第一固定部材３０は、第一支持部材８に固定される第一固定部４４と、第一固定部４４から上方に延在し、第二フレーム部材６に固定される第二固定部４７と、を有してＬ字形状に形成されている。第二固定部４７に、凸部５０が形成されており、第二フレーム部材６には、第二固定部４７の凸部５０と係合する凹部１５が形成されている。
【００５９】
第一固定部材３０と第二フレーム部材６との位置決めを容易かつ正確に行うことができることにより、作業性が向上する。
【００６０】
本実施形態とは逆に、第二固定部４７に、凹部が形成され、第二フレーム部材６には、第二固定部４７の凹部と係合する凸部が形成されていてもよい。
【００６１】
（９）フレーム構造体４を構成するフレーム部材（第一フレーム部材５、第二フレーム部材６）、第一支持部材８、第二支持部材９、第一固定部材３０および第二固定部材３２は、アルミニウム合金製の押出形材からなる。
【００６２】
これにより、これらの各部材を鋼材からなるものとした場合と比較すると、太陽光パネル用架台全体を軽量化することが可能になる。また、これらの各部材の寸法精度を高めることができ、太陽光パネル用架台の設置を容易かつ正確に行うことができるとともに、優れた耐食性および外観を得ることができる。さらに、長尺の部材を比較的低コストで製造することができるため、製造コストを低減することができるとともに、アルミニウム合金はリサイクル性に比較的優れているため、太陽光パネル用架台の撤去後に材料を再利用することができる。
【００６３】
ところで、本発明の太陽光パネル用架台は前述の実施形態に例をとって説明したが、この実施形態に限ることなく本発明の要旨を逸脱しない範囲で他の実施形態を各種採用することができる。
【００６４】
例えば、図８から図１０に示すように、図１から図７に示した太陽光パネル用架台を複数隣り合うように配置し、隣り合う２つ以上の太陽光パネル架台の、第二フレーム部材６同士を連結プレート（ガセットプレート）７１を介して連結することにより、太陽光パネル用架台ユニット７０を構成するようにしてもよい。図８から図１０に示す太陽光パネル用架台ユニット７０では、連結プレート７１は、矩形板状に形成されており、第二フレーム部材６を両側から挟むように一対に配置されている。連結プレート７１は、例えば、アルミニウム合金製の押出形材からなる。
【００６５】
２つ以上の太陽光パネル用架台を連結して太陽光パネル用架台ユニット７０を構成することで、固定強度の高い安定した太陽光パネル用の架台とすることができる。また、太陽光パネル用架台ユニット７０は、太陽光パネル用架台が単体で互いに離れて設置されるケースと比べて、太陽光パネルを密に設置することができる。
【符号の説明】
【００６６】
１  上部構造体
２  下部構造体
３  太陽光パネル
４  フレーム構造体
５  第一フレーム部材（フレーム部材）
６  第二フレーム部材（フレーム部材）
７  支柱
８  第一支持部材
９  第二支持部材
１２  ビス
１５  凹部
１６  ブラケット部材
１７  挟持部材
１９  係合部
２０  固定部
２１  載置面
３０  第一固定部材
３２  第二固定部材
４４  第一固定部
４７  第二固定部
５０  凸部
５１  半円バンド
５２  半円状部分
５４  ブラケット部
７０  太陽光パネル用架台ユニット
７１  連結プレート
【図１】
2017175791.tif 000003
【図２】
2017175791.tif 000004
【図３】
2017175791.tif 000005
【図４】
2017175791.tif 000006
【図５】
2017175791.tif 000007
【図６】
2017175791.tif 000008
【図７】
2017175791.tif 000009
【図８】
2017175791.tif 000010
【図９】
2017175791.tif 000011
【図１０】
2017175791.tif 000012